(57)【特許請求の範囲】
【請求項１】
外見付け部と内見付け部とを有するガラリ用の縦羽根板が見付方向に複数並設されたガラリであって、
前記縦羽根板は、少なくとも第１の湾曲部と第２の湾曲部を有し、前記第１の湾曲部は、見付け方向の一方側に凸面を有し、前記第２の湾曲部は、前記見付け方向の他方側に凸面を有し、
前記第１の湾曲部の一方の端部には、前記見付け方向の一方側に突出して、第１の止水溝と第１の誘導フィンが形成された第１の止水部が設けられ、
前記第１の湾曲部の一方の端部の内側延長部には、ビス孔を形成せずに、第２の止水溝が形成された第２の止水部が設けられ、
前記第２の湾曲部の内側端部には、第３の止水溝と第２の誘導フィンが形成された第３の止水部が連設され、
前記第１の湾曲部の凸面略中央部には、前記見付け方向の一方側に突出して、第４の止水溝が形成された第４の止水部が設けられ、
前記内見付け部には、前記見込み方向の一方側に突出して、第５の止水溝と第３の誘導フィンが形成された第５の止水部が設けられ、
前記第１の止水溝、前記第５の止水溝のそれぞれは、集水可能な複数の止水溝に分割されて形成され、
前記第１の止水溝、前記第２の止水溝、前記第３の止水溝、前記第５の止水溝の底部には、曲面状に形成されて水滴状の雨水を集水可能な水滴誘導溝が形成され、
前記第１の誘導フィンは、前記第１の湾曲部の曲面に沿って誘導された雨風を、前記見付方向の一方側に並設された縦羽根板の第２の止水部へ誘導可能に構成され、
前記第２の誘導フィンは、前記第２の湾曲部の曲面に沿って誘導された雨風を、前記見付方向の他方側に併設された縦羽根板の第５の止水部へ誘導可能に構成され、
前記内見付部には、前記第５の止水部とビス孔形成部とが、前記見付方向に連設して備えられ、
前記第１の湾曲部と、前記第２の止水部と、前記第２の湾曲部と、前記第３の止水部と、前記ビス孔形成部とは、見込み方向に沿って連設されている
ことを特徴とするガラリ。
【請求項２】
外見付け部と内見付け部とを有するガラリ用の縦羽根板が見付方向に複数並設されたガラリであって、
前記縦羽根板は、少なくとも第１の湾曲部と第２の湾曲部とを有し、前記第１の湾曲部は、見付け方向の一方側に凸面を有し、前記第２の湾曲部は、前記見付け方向の他方側に凸面を有し、
前記第１の湾曲部の一方の端部には、前記見付け方向の一方側に突出して、第１の止水溝と第１の誘導フィンが形成された第１の止水部が設けられ、
前記第１の湾曲部の一方の端部の内側延長部には、ビス孔を形成せずに、第２の止水溝が形成された第２の止水部が設けられ、
前記第２の湾曲部の内側端部には、第３の止水溝と第２の誘導フィンが形成された第３の止水部が連設され、
前記第１の湾曲部の凸面略中央部には、前記見付け方向の一方側に突出して、第４の止水溝が形成された第４の止水部が設けられ、
前記内見付け部には、前記見込み方向の他方側に突出して、第５の止水溝と第３の誘導フィンが形成された第５の止水部が設けられ、
前記第３の止水部に連設して、前記見付け方向の他方側に凸面を有する第３の湾曲部が形成され、該第３の湾曲部と前記第５の止水部との間には、前記見込み方向の一方側に突出して、第６の止水溝と第４の誘導フィンが形成された第６の止水部が設けられ、
前記第１の止水溝、前記第３の止水溝、前記第５の止水溝のそれぞれは、集水可能な複数の止水溝に分割されて形成され、
前記第１の止水溝、前記第２の止水溝、前記第３の止水溝、前記第５の止水溝、前記第６の止水溝の底部には、曲面状に形成されて水滴状の雨水を集水可能な水滴誘導溝が形成され、
前記第１の誘導フィンは、前記第１の湾曲部の曲面に沿って誘導された雨風を、前記見付方向の一方側に並設された縦羽根板の第２の止水部へ誘導可能に構成され、
前記第２の誘導フィンは、第２の湾曲部の曲面に沿って誘導された雨風を、前記見付方向の他方側に並設された縦羽根板の第６の止水部へ誘導可能に構成され、
前記第４の誘導フィンは、前記第６の止水部で止水されなかった雨水を、前記見付方向の一方側に並設された縦羽根板の第５の止水部へ誘導可能に構成され、
前記内見付部には、前記第５の止水部とビス孔形成部とが、前記見付方向に連設して備えられ、
前記第１の湾曲部と、前記第２の止水部と、前記第２の湾曲部と、前記第３の止水部と、前記第３の湾曲部と、前記第６の止水部と、前記ビス孔形成部とは、見込み方向に沿って連設されている
ことを特徴とするガラリ。
【請求項３】
ガラリ外側開口面側の前記複数の縦羽根板間に形成された外側開口部と、
ガラリ内側開口面側の前記複数の縦羽根板間に形成された内側開口部とを備え、
前記外側開口部の開口寸法と、前記内側開口部の開口寸法とが等しく構成され、
前記外側開口部から内部空間部を通って前記内側開口部へ抜ける間の最小間隙が、外側開口部の開口寸法以上及び内側開口部の開口寸法以上に構成されている
ことを特徴とする請求項１又は請求項２に記載のガラリ。
【請求項４】
ガラリ外側開口面側の前記複数の縦羽根板間に形成された外側開口部と、
ガラリ内側開口面側の前記複数の縦羽根板間に形成された内側開口部とを備え、
前記外側開口部の開口寸法と、前記内側開口部の開口寸法とが等しく構成され、
前記外側開口部の開口寸法を直径とする円が、該外側開口部から内部空間部を通過して前記内側開口部へ抜けるまで、前記縦羽根板に突出して形成された止水部が、前記円と離間するか、又は、前記円の円周に接し、かつ、前記円と交差しないように構成されている
ことを特徴とする請求項１又は請求項２に記載のガラリ。
【発明の詳細な説明】
【技術分野】
【０００１】
本発明は、室内と室外の空気を入れ換えるために建物の窓、戸、外壁等に設置されるガラリ、及び、このガラリに用いられるガラリ用縦羽根板に関する。
【背景技術】
【０００２】
従来、工場、発電所、体育館、倉庫、ビル、家屋等の建物の室内と室外の空気を入れ換えるために、建物の窓、ドア、外壁等に、複数の羽根板を所定形状の枠体に設けてなるガラリ（または、「換気ルーバ」ともいう。）が設置される。ガラリは、外側開口面と内側開口面を有し、外側開口面が建物外側を臨み、内側開口面が建物内側（例えば、室内）を臨む状態で設置される。羽根板には、横羽根板と縦羽根板があり、ガラリには、枠体に横羽根板だけ、又は、縦羽根板だけを設けた一層型ガラリと、枠体に横羽根板及び縦羽根板を設けた二層型ガラリがある。二層型ガラリの場合、通常、横羽根板が外側開口面側に設けられ、縦羽根板が内側開口面側に設けられる。複数の羽根板（横羽根板、縦羽根板）は、それぞれ、等間隔のピッチで見付け方向に並設され、隣接する羽根板同士の間には、換気のための換気孔が形成される。この換気孔の入り口を外側開口部、出口を内側開口部、内部を内部空間部という。なお、外側開口部と内側開口部を総称して、単に開口部ということがある。
【０００３】
ガラリは、上述したように換気を目的とするものであるが、単に開口部・内部空間部を広くして換気性能を向上させると、止水（「防水」、「漏水」ともいう。）性能が劣化してしまい、逆に、止水性能を上げようとして開口部を狭くしたり、内部空間部の止水部をむやみに大きくあるいは増やしたりすると、換気性能が劣化してしまうので、この相反する課題を同時に解決して、開口率と止水率を高めることは非常に困難であった。したがって、従来の技術において、開口率と止水率の両方を改善することが記載された特許文献は数少ない。
【０００４】
ここで、開口率の定義を示す。例えば、特許文献１には、「開口面３から開口空間６を通って他方の開口面３へ抜ける間の間隙」の「最小間隙をＳ１」、「ガラリの羽根ピッチをＰ」とすると、「概略による有効開口率Ｘａ」は、「Ｘａ＝Ｓ１／Ｐ×１００」で求めることができると記載されている（段落「０００２」〜「０００７」、図３、図４等参照。）。なお、「開口面３」、「開口空間６」、「他方の開口面３」は、それぞれ、上記の「外側開口部」、「内部空間部」、「内側開口部」に対応している。
【０００５】
上記特許文献１の「ガラリ」は、「横型羽根」のみで構成されているが、「有効開口率」は、「縦型羽根」のみの構成でも同様に考えればよい。つまり、羽根板が、横羽根板、縦羽根板に拘わらず、「開口面から開口空間を通って他方の開口面へ抜ける間の最小間隙をＳ１」、「ガラリの羽根ピッチをＰ」として、「概略による有効開口率Ｘａ＝Ｓ１／Ｐ×１００」を求めればよい。なお、実際には、「有効開口率」は、特許文献１にも記載されているように「Ｓ１」、「Ｐ」以外のパラメータが考慮されることもあるが（段落「０００５」、図４等参照。）、本願発明においては、「概略による開口率Ｘａ＝Ｓ１／Ｐ×１００」を、「有効開口率」と定義して説明する。以下、「有効開口率」を、単に「開口率」という。二層型ガラリの開口率は、横羽根板の開口率と、縦羽根板の開口率の小さい方で決定される。
【０００６】
また、建築基準法では、居室の必要換気量が定められており、例えば、ある居室の必要換気量に対し、開口率の高いガラリは、開口率の低いガラリに対して、枠体を小さくすることができる。枠体が小さくなれば、コストも下がり、施工も簡単になる。しかしながら、上述したように、単に開口率を上げるだけでは、止水率が下がるという問題が発生する。また、横羽根板と縦羽根板から構成された二層型のガラリは、通常、横羽根板のみ、又は、縦羽根板のみのガラリに比べ、止水率は向上させることができるものの、構成が複雑になるので、ガラリの製造コスト及び販売価格が高くなる。一方、ガラリを建物等に設置した際に、縦羽根板のガラリよりも横羽根板のガラリの方が、美観的にユーザに好まれることは周知である。したがって、二層型のガラリの方が需要が多い。そこで、本願発明では、一層型ガラリ及び二層型ガラリにおいて、開口率と止水率の両方を高め、さらに、二層型ガラリでも枠体サイズを小さくすることができるように鋭意工夫されている。
【０００７】
以下、従来技術としての、ガラリについて説明する。例えば、上記の特許文献１には、「羽根の開口遮蔽面を内方へ湾曲した弧状面としたことを特徴とするガラリの山形羽根」（「請求項１」、図１〜図３等参照。）が記載されている。
【０００８】
また、特許文献２には、「建物の通気口等に設置すべく、前記建物等の躯体に取付けられているガラリ枠体と、このガラリ枠体における左右の両縦枠間に、前記通気用の間隔を設け多数配設されている縦状の羽根板とを備える外装用縦型ガラリであり、前記各羽根板は、前記建物の外部から内部方向へ延びる羽根板の幅方向略中央部における頂部と、この頂部から建物外部方向および建物内部方向へそれぞれ延びる両斜面部とから略三角形状に形成され、また、各羽根板における建物外部側端部および建物内部側端部にはそれぞれビスホールが形成されていると共に、各羽根板における建物外部側および建物内部側の端面である表面が曲面で形成されており、前記頂部には建物外部側に開口する溝部が形成されていると共に、この溝部における建物外部側および建物内部側の表面が曲面で形成され、また、前記頂部から建物外部方向へ延びる斜面部は建物内部側への凹状に湾曲した曲面で形成されていると共に、頂部から建物内部方向へ延びる斜面部は建物外部側への凹状に湾曲した曲面で形成されていることを特徴とする外装用縦型ガラリ」（「請求項１」、図１参照。）が記載されている。
【０００９】
また、特許文献３には、「帯状の板体からなる羽根板部材の複数個を縦方向に配置してなる竪型防水ルーバにおいて、該羽根板部材を幅方向断面Ｓ字状に構成し、その幅方向の２箇所の屈曲部の背部に屋外側に向けた突片部を備え、且つ該両屈曲部の間にビス孔兼水受けを設けてなることを特徴とする竪型防水ルーバ。」（段落「請求項１」、図２〜図７参照。）が記載されている。
【００１０】
また、特許文献４には、「上下左右の枠で構成されたガラリ枠の内側に、長手方向が上下方向とされて取り付けられる羽根であって、外見付け面と内見付け面とをつなぐ見込み面に水返し部が突設されてなるガラリ用羽根において、上記水返し部が見込み方向中央より屋内側から略円弧状をなすように突出されて、その先端折り返し部が上記見込み方向中央より屋外側に位置するように構成されていることを特徴とするガラリ用羽根」（「請求項１」、図１参照。）、「上記外見付け面に上記長手方向に伸長する集水用の溝が形成されている（「請求項２」、図１〜図３等参照。）」が記載されている。
【００１１】
また、特許文献５には、「間隔を置いて平行に複数配設されている縦状の羽根板を備え、隣り合う羽根板間で連結して曲がった通風路が形成されていることを特徴とするガラリ」（「請求項１」、図２、図３参照。）、「縦状の羽根板には連続した捕水用の溝が形成されていることを」（「請求項２」、図２、図３）が記載されている。
【００１２】
また、特許文献６には、「第一湾曲部、第二湾曲部及びこの第一湾曲部とこの第二湾曲部とを連結する連結部を備えており、この第一湾曲部及びこの第二湾曲部が、見込み方向に並設されており、この第一湾曲部が、見付け方向一方側に向かって凸な形状を呈しており、この第二湾曲部が、見付け方向一方側に向かって凸な形状を呈しており、この第二湾曲部の外側端部が、この第一湾曲部よりも見付け方向一方側に突出しており、上記連結部が、この第一湾曲部の内側端部から見付け方向一方側に向かって延在しており、この第二湾曲部の内側端部が、この第一湾曲部の内側端部よりも内側に位置しており、この第一湾曲部の内側端部と、この第二湾曲部の外側端部と、この連結部とから、保水溝が形成されるガラリ用縦羽根板」（「請求項１」、図５参照。）が記載されている。
【先行技術文献】
【特許文献】
【００１３】
【特許文献１】登録実用新案第３０５９８１０号公報
【特許文献２】特許第２８８０９１４号公報
【特許文献３】特開平１１−１６６３７６号公報
【特許文献４】特開２０００−１０４４６２号公報
【特許文献５】特開２００２−０８１２７３号公報
【特許文献６】特許第４１７７８３２号公報
【発明の概要】
【発明が解決しようとする課題】
【００１４】
上記特許文献１の「ガラリ」は、横羽根板で構成された一層型であり、「有効開口率は４７％強」を実現することができ、「ガラリの有効開口率を向上させることができる」（段落「００１７」、図参照。）と記載されている。しかしながら、特許文献１には、止水率については何ら記載がなく、例えば、特許文献３に「半ば伝統的に採られてきた羽根板材の設置方向を横方向にする形式のものについてよく観察すると、各羽根板で補集された雨水が順次下側の羽根板上に垂れ落ちて飛散し、ルーバ内に入り込み易いという弱点を有しており、また左右の横方向からの風雨に対する遮蔽効果も必ずしも充分ではなく」（段落「０００２」参照。）と記載されているように、特許文献１記載の「ガラリ」は、９５％以上の高い止水率を実現することができるかどうか不明である。
【００１５】
特許文献２に記載の「外装用縦型ガラリ１」は、「漏水率を低くするべく、各羽根板における頂部に溝部を設ける」（段落「００１１」、図１参照。）、「この外装用縦型ガラリ１における各羽根板４の頂部７には建物外部５側に開口する溝部11が形成されている」（段落「００１５」、図１参照。）、「この実施例での各羽根板４は、図１に示すように、頂部７と両斜面部８，９とからなる略三角形状の断面形状を有する」（段落「００１６」等参照。）と記載されているように、「斜面部８」と「斜面部９」の間には、「頂部７」に「溝部11」が一つしか形成されていないので、自然換気状態での９５％以上の高い止水率を実現することができるかどうか不明である。また、開口率については、何ら記載されていない。
【００１６】
特許文献３には、「本発明の羽根板部材は、その幅方向の断面がＳ字状であるため、その幅方向の２箇所（屈曲部）が断面湾曲状ないし断面円弧状に形成される。これらの２箇所の屈曲部の背部にそれぞれ突片部が設けられる。その突片部の腹部及び羽根板部材の背部により、上下方向に溝が形成され、これによって屋外から屋内への風雨の浸入を防ぎ、ここで雨滴を受止め、集めて流下させることができる」（段落「００１６」、図２〜図４等参照。）、「本発明の竪型防水ルーバにおいては開口率を５０％程度から６５％程度というようにすることができるが、３０〜５０％というようにもできるとは勿論である」（段落「００２３」参照。）と記載されており、開口率は向上しているものの、「屈曲部１１及び１２」には、止水のための構成としては、二つの「突片部１３、１５」しか設けられていないので、止水のための「溝部11」が一つのみの特許文献２の「外装用縦型ガラリ１」よりは、止水率が向上しているものの、９５％以上の高い漏水率は期待できないものと推量される。
【００１７】
特許文献４に記載の「ガラリ」は、「より良好な防水性能を得られるようにしたガラリ用羽根を提供する」（段落「０００７」参照。）という目的を実現するために、「上記のように、この例では水返し部３８は中心線ＣＬをよぎるように深く大きく設けられているため、図中、ハッチングで示した雨水が溜まる領域４１は図６に示した従来の羽根１６の雨水が溜まる領域２４より格段に広く、よって防水性能が大幅に向上されたものとなっている」（段落「００１１」、図１等参照。）ものである。ここで、「水返し部３８」を大きくすれば、「防水性能」は当然に向上するが、「水返し部３８」の突端と、隣接する「曲線部３４」との「最小間隙（Ｓ１）」が狭くなるので、開口率は低下する。特許文献４の「ガラリ」において、この「最小間隙」を広くして開口率を高めようとすると、逆に「防水性能」は劣化する。特許文献４には、開口率と防水性能との関係については、何ら記載されていないので、防水性能を高めるために、開口率は小さくしているものと推量される。
【００１８】
特許文献５に記載の「縦型ガラリ」においても、「羽根板間の連続して曲がった通風路で風雨の勢いを弱めて、羽根板の溝で捕水して漏水しないガラリを提供する」（段落「０００５」参照。）と記載されているように、「漏水率」の向上を目的としてものであり、「屋外部捕水壁２１、中間部捕水壁２２，２３、屋内部捕水壁２４の捕水溝２５に雨水が捕水され再び飛散することがなく捕水溝２５に沿って下方へ導びかれ速やかに屋外へ排水されるので屋内へ雨水が侵入することがない」（段落「００１２」、図１〜図３参照。）との記載はあるものの、開口率については、何ら記載されていない。「中間部捕水壁２２，２３」が、隣接する「羽根板２」間に水平に伸びているので、「最小間隙」は狭くなって開口率は下がることが推量され、逆に、開口率を上げるためにこの「最小間隙」を広げようとすると、「漏水率」は低下することが推量される。また、「羽根板間の連続して曲がった通風路で風雨の勢いを弱め」ると、必要換気量を達成できなくなる虞がある。
【００１９】
上記の特許文献１〜特許文献５に記載の発明に対して、特許文献６に記載の「ガラリ」は、「前述のガラリ用縦羽板１０においては、保水溝の数は２個であり、しかも略中央部に設けられている保水溝１１０は、Ｖ字形で奥行きが狭く、容量が小さいので、強い雨水が吹き付けられる場合、雨水が水返し部１０８からあふれ、屋内へ雨水が侵入するという問題がある。また、建物内に取り込まれる外気量も不十分である。本発明の目的は、良好な防水性能を有し、しかも換気機能も良好であるガラリ用縦羽板及びこれを用いたガラリの提供にある」（段落「０００４」〜「０００５」参照。）と記載されているように、一応、「止水率」と「開口率」の両方の向上を目的としたものであり、表１に、開口率、防水性試験の結果が、他社製品と比較して示され、特許文献６の図７に記載の「ガラリ用縦羽板８」を用いた「ガラリ」では、「開口率５０％」、及び、「風速30(m/s)」において「漏水量0.51(l)」であることが記載されている。
【００２０】
ここで、特許文献６の図５に記載の「ガラリ」は、開口率が４０％であり、「第一湾曲部５１」と「第二湾曲部５２」は、曲面の曲がり方向が同一方向であるので、止水率をさらに高めるために保水溝、つまり、水返し部の数を増やそうとすると、水返し部の突端と隣接する湾曲部との最小間隙（Ｓ１）が狭くなり、開口率は４０％より低下するものと推量される。そして、特許文献６の図７に記載の「ガラリ」は、「第一湾曲部５１」及び「第二湾曲部５２」と曲がり方向が逆となる「第４湾曲部８５」及び「第５湾曲部８６」をさらに設けることで、「保水溝」の数を増やすことで漏水量を小さくすることにより、開口率を５０％に向上させることを実現しているものと推量される。しかしながら、仮に、特許文献６の図５に記載の「ガラリ」の枠体と同サイズで図７に記載の「ガラリ」を構成しようとすると、各々の「湾曲部」、「保水溝」、「水返し部」のサイズも小さくなり、「漏水性能」が劣化してしまうので、特許文献６の図７に記載の「ガラリ」は、特許文献６の図５に記載の「ガラリ」よりも見込み方向寸法を大きくしているものと推量される。
【００２１】
そこで、本発明においては、開口率と止水率の両方を向上させることができるガラリ用縦羽根板、及び、この縦羽根板を用いたガラリを提供することを目的とする。
【課題を解決するための手段】
【００２２】
上記の目的を達成するため、請求項１に記載の発明は、外見付け部（１０）と内見付け部（１１）とを有するガラリ用の縦羽根板が見付方向に複数並設（・・・，５ａ，５，５ａ，・・・）されたガラリ（１）であって、前記縦羽根板（５）は、少なくとも第１の湾曲部（１４）と第２の湾曲部（１５）を有し、前記第１の湾曲部は、見付け方向の一方側に凸面を有し、前記第２の湾曲部は、前記見付け方向の他方側に凸面を有し、前記第１の湾曲部の一方の端部には、前記見付け方向の一方側に突出して、第１の止水溝（１６ａ）と第１の誘導フィン（Ｆ１）が形成された第１の止水部（１６）が設けられ、前記第１の湾曲部の一方の端部の内側延長部には、ビス孔を形成せずに、第２の止水溝（１７ａ）が形成された第２の止水部（１７）が設けられ、前記第２の湾曲部の内側端部には、第３の止水溝（１８ａ）と第２の誘導フィン（Ｆ２）が形成された第３の止水部（１８）が連設され、前記第１の湾曲部の凸面略中央部には、前記見付け方向の一方側に突出して、第４の止水溝（１９ａ）が形成された第４の止水部（１９）が設けられ、前記内見付け部には、前記見込み方向の一方側に突出して、第５の止水溝（２０ａ）と第３の誘導フィン（Ｆ３）が形成された第５の止水部（２０）が設けられ、前記第１の止水溝、前記第５の止水溝のそれぞれは、集水可能な複数の止水溝に分割されて形成され、前記第１の止水溝、前記第２の止水溝、前記第３の止水溝、前記第５の底部には、曲面状に形成されて水滴状の雨水を集水可能な水滴誘導溝が形成され、前記第１の誘導フィンは、前記第１の湾曲部の曲面に沿って誘導された雨風を、前記見付方向の一方側に並設された縦羽根板（「左側」の５ａ）の第２止水部へ誘導可能に構成され、前記第２の誘導フィンは、前記第２の湾曲部の曲面に沿って誘導された雨風を、前記見付方向の他方側に併設された縦羽根板（「右側」の５ａ）の第５の止水部へ誘導可能に構成され、前記内見付部には、前記第５の止水部とビス孔形成部（１３）とが、前記見付方向に連設して備えられ、前記第１の湾曲部と、前記第２の止水部と、前記第２の湾曲部と、前記第３の止水部と、前記ビス孔形成部とは、見込み方向に沿って連設されていることを特徴とする。
【００２３】
また、請求項２に記載の発明は、外見付け部（１０）と内見付け部（１１）とを有するガラリ用の縦羽根板が見付方向に複数並設（・・・，１０５ａ，１０５，１０５ａ，・・・）されたガラリ（１００）であって、前記縦羽根板（１０５）は、少なくとも第１の湾曲部（１１４）と第２の湾曲部（１１５）とを有し、前記第１の湾曲部は、見付け方向の一方側に凸面を有し、前記第２の湾曲部は、前記見付け方向の他方側に凸面を有し、前記第１の湾曲部の一方の端部には、前記見付け方向の一方側に突出して、第１の止水溝（１１６ａ）と第１の誘導フィン（Ｆ１）が形成された第１の止水部（１１６）が設けられ、前記第１の湾曲部の一方の端部の内側延長部には、ビス孔を形成せずに、第２の止水溝（１１７ａ）が形成された第２の止水部（１１７）が設けられ、前記第２の湾曲部の内側端部には、第３の止水溝（１１８ａ）と第２の誘導フィン（Ｆ１０２）が形成された第３の止水部（１１８）が連設され、前記第１の湾曲部の凸面略中央部には、前記見付け方向の一方側に突出して、第４の止水溝（１１９ａ）が形成された第４の止水部（１１９）が設けられ、前記内見付け部には、前記見込み方向の他方側に突出して、第５の止水溝（１２０ａ）と第３の誘導フィン（Ｆ３）が形成された第５の止水部（１２０）が設けられ、前記第３の止水部に連設して、前記見付け方向の他方側に凸面を有する第３の湾曲部が形成され、該第３の湾曲部と前記第５の止水部との間には、前記見込み方向の一方側に突出して、第６の止水溝（１２３ａ）と第４の誘導フィン（Ｆ４）が形成された第６の止水部（１２３）が設けられ、前記第１の止水溝、前記第３の止水溝、前記第５の止水溝のそれぞれは、集水可能な複数の止水溝に分割されて形成され、前記第１の止水溝、前記第２の止水溝、前記第３の止水溝、前記第５の止水溝、前記第６の止水溝の底部には、曲面状に形成されて水滴状の雨水を集水可能な水滴誘導溝が形成され、前記第１の誘導フィンは、前記第１の湾曲部の曲面に沿って誘導された雨風を、前記見付方向の一方側に並設された縦羽根板（「左側」の１０５ａ）の第２止水部へ誘導可能に構成され、前記第２の誘導フィンは、第２の湾曲部の曲面に沿って誘導された雨風を、前記見付方向の他方側に並設された縦羽根板（「右側」の１０５ａ）の第６の止水部へ誘導可能に構成され、前記第４の誘導フィンは、前記第６の止水部で止水されなかった雨水を、前記見付方向の一方側に並設された縦羽根板（「左側」の１０５ａ）の第５の止水部へ誘導可能に構成され、前記内見付部には、前記第５の止水部とビス孔形成部（１３）とが、前記見付方向に連設して備えられ、前記第１の湾曲部と、前記第２の止水部と、前記第２の湾曲部と、前記第３の止水部と、前記第３の湾曲部と、前記第６の止水部と、前記ビス孔形成部とは、見込み方向に沿って連設されていることを特徴とする。
【００２８】
また、請求項３に記載の発明は、請求項１又は請求項２に記載のガラリであって、ガラリ外側開口面側の前記複数の縦羽根板間に形成された外側開口部と、ガラリ内側開口面側の前記複数の縦羽根板間に形成された内側開口部とを備え、前記外側開口部の開口寸法と、前記内側開口部の開口寸法とが等しく構成され、前記外側開口部から内部空間部を通って前記内側開口部へ抜ける間の最小間隙が、外側開口部の開口寸法以上及び内側開口部の開口寸法以上に構成されていることを特徴とする。
【００２９】
また、請求項４に記載の発明は、請求項１又は請求項２に記載のガラリであって、ガラリ外側開口面側の前記複数の縦羽根板間に形成された外側開口部と、ガラリ内側開口面側の前記複数の縦羽根板間に形成された内側開口部とを備え、前記外側開口部の開口寸法と、前記内側開口部の開口寸法とが等しく構成され、前記外側開口部の開口寸法を直径とする円が、該外側開口部から内部空間部を通過して前記内側開口部へ抜けるまで、前記縦羽根板に突出して形成された止水部が、前記円と離間するか、又は、前記円の円周に接し、かつ、前記円と交差しないように構成されていることを特徴とする。
【発明の効果】
【００３０】
本発明のガラリ用縦羽根板、及び、この縦羽根板を用いたガラリによれば、開口率と止水率の両方を向上させることができる。
【図面の簡単な説明】
【００３１】
【図１】本発明の第一実施形態のガラリの正面図である。
【図２】図１の縦断面図である。
【図３】図１の横断面図である。
【図４】図３の縦羽根板の要部拡大図である。
【図５】図３の縦羽根板の要部拡大斜視図である。
【図６】図３の縦羽根板の要部拡大図である。
【図７】図３の縦羽根板の水滴誘導部の説明図である。
【図８】本発明の第二実施形態のガラリの横断面図である。
【図９】図８の縦羽根板の要部拡大図である。
【図１０】図８の縦羽根板の要部拡大図である。
【図１１】図８の縦羽根板の要部拡大図である。
【図１２】本発明の第三実施形態のガラリの縦断面図である。
【図１３】本発明の第三実施形態のガラリの横断面図である。
【図１４】図１３の縦羽根板の要部拡大図である。
【図１５】本発明の縦羽根板の設計方法を説明する図である。
【発明を実施するための形態】
【００３２】
以下、好適な実施の形態を用いて本発明をさらに具体的に説明する。但し、下記の実施の形態は本発明を具現化した例に過ぎず、本発明はこれに限定されるものではない。図中の矢印は、方向を示し、図の説明に記載の方向と対応している。
【００３３】
（第一実施形態）
本発明の第一実施形態のガラリについて、図１〜図７、図１５を参照しながら説明する。図１は、本発明の第一実施形態のガラリ１の正面図であり、図２は、図１のガラリ１の縦断面図であり、図３は、図１のガラリ１の横断面図であり、図４は、図３の縦羽根板の要部拡大図である。ガラリ１は、建物等に取付けられたときに、建物外側からは図１に示すような外観を示す。ガラリ１は、羽根板として縦羽根板５のみを有する一層型ガラリであり、上枠２、下枠３、一対の縦枠４からなる矩形状の枠体と、所定数の縦羽根板５を備えている。枠体には、外側開口面８、内側開口面９が形成されている。上枠２、下枠３、縦枠４、縦羽根板５は、アルミニウム製である。
【００３４】
図２に示すように、縦羽根板５の上端部は上部取付け部６とビス５０で螺設され、下端部は下部取付け部７とビス５０で螺設されている。上部取付け部６には嵌入片６ａが形成されており、嵌入片６ａが上枠２内に設けられた嵌入溝２ａに嵌入されることで、縦羽根板５が上枠２に固定される。また、下部取付け部７には、突片７ａが設けられ、下枠３には、突片３ａが設けられ、突片７ａと突片３ａとがビス５０で螺設されることで、縦羽根板５が下枠３に固定される。下部取付け部７と下枠３との間には、縦羽根板５で止水・集水した水を排出するための排水口３ｂが開口されている。上枠２、下枠３には、それぞれ、縦枠４とビスで螺設されるためのビス孔５１が形成されている。また、上枠２と下枠３との間の外側面には、外側開口面８が形成され、内側面には、内側開口面９が形成されている。
【００３５】
図３に示すように、縦羽根板５は、縦枠４，４間の見付け方向に、等間隔のピッチＰで複数並設されている。図３の紙面上側が、ガラリ１が取付けられる建物等の外側であり、縦羽根板５の外側端部には、雨風の侵入を遮蔽する外見付け部１０が形成されている。また、図３の紙面下側が、ガラリ１が取付けられる建物等の内側（例えば、室内側）であり、縦羽根板５の内側端部には内見付け部１１が形成されている。
【００３６】
外見付け部１０の外側の面、及び、内見付け部１１の内側の面には、加工用の目印であるＶ溝が形成されている。外見付け部１０、内見付け部１１には、それぞれ、見込み方向のガラリ内部側に、外側ビス孔形成部１２、内側ビス孔形成部１３が連結されている。なお、ガラリ１の内部を、単に「内部」といい、ガラリ１の縦枠４方向（図３、図４の左右方向）の外部を、単に「外部」ということがある。外側ビス孔形成部１２のビス孔は、縦羽根板５の上端部と前述の上部取付け部６とをビス５０で螺設するための螺孔であり、内側ビス孔形成部１３のビス孔は、縦羽根板５の下端部と、前述の下部取付け部７とをビス５０で螺設するための螺孔である。各ビス孔は、縦羽根板５の上下方向に連通しており、止水溝としても機能する。
【００３７】
図３、図４において、隣接する縦羽根板５同士の間隙には換気のための換気孔が形成されており、外側開口面８側には外側開口部ＯＲが形成され、内側開口面９側には内側開口部ＩＲが形成され、内部には内部空間部ＩＳが形成されている。外側開口部ＯＲの開口寸法ＷＲと、内側開口部ＩＲの開口寸法ＷＩとは、等しく設計されているので、外側開口部ＯＲの開口寸法ＷＲ及び内側開口部ＩＲの開口寸法ＷＩは、単に、開口寸法Ｗと表記する。
【００３８】
ここで、縦羽根板５から、外見付け部１０、外側ビス孔形成部１２、内側ビス孔形成部１３、内見付け部１１を除いた部分の構成を縦羽根板本体部５Ｔと称する。縦羽根板本体部５Ｔは、見込み方向に第１の湾曲部１４、第２の湾曲部１５、複数の止水部１６，１７，１８，１９，２０を備えている。
【００３９】
第１の湾曲部１４は、見付け方向の左側に向かって膨出した円弧状の凸面を有しており、外側端部は外側ビス孔形成部１２に連結され、内側端部には、見付け方向の左側に向かって突出した第１の止水部１６が形成されている。また、第１の湾曲部１４の内側端部には第２の止水部１７が連設され、この第２の止水部１７には、見付け方向の左側に向かって膨出した円弧状の凸面を有する第２の湾曲部１５が連設されている。つまり、縦羽根板本体部５Ｔは、第１の湾曲部１４と第２の止水部１７と第２の湾曲部１５とが連設された構成となっている。
【００４０】
第１の止水部１６には、第１の湾曲部１４の内側端部から左側に延出して形成された突片１６ｂと、突片１６ｂの先端に、一旦外側方向に延出した後内側方向に折り返して形成された第１の誘導フィンＦ１とが設けられている。第１の湾曲部１４と突片１６ｂと第１の誘導フィンＦ１とで第１の止水溝１６ａを形成しており、第１の止水溝１６ａは、見付け方向左側に開口されたＵ字状をなし、底部には、さらに、水滴誘導溝ＧＣが形成されている（詳細は後述する。）。この第１の止水溝１６は、突片１６ｂの中間部に見込み方向外側に延出して形成された水返し片１６ｃによって、二つの止水溝に分割されている。分割されたそれぞれの止水溝は、侵入した雨水の跳ね返りを低減して集水するために充分な大きさ・容量であり、第１の止水部１６の止水溝が一つの場合よりも止水率をさらに高めることができる。第１の止水部１６を構成する突片１６ｂ、水返し片１６ｃ、第１の誘導フィンＦ１の大きさ、傾斜角度は、内部空間部ＩＳの最小間隙Ｓ１が、開口寸法Ｗより小さくならないように、後述する設計方法によって最適設計されている。
【００４１】
第２の止水部１７には、見付け方向右側に開口されたＵ字状の曲面を有する第２の止水溝１７ａが形成され、この第２の止水溝１７ａの左側の溝壁１７ｂは、第１の湾曲部１４の円弧状の曲面を延長して形成されている。また、第２の止水溝１７ａの右側の溝壁１７ｃは、水返し片１７ｄで形成され、この水返し片１７ｄに第２の湾曲部１５が連設されている。第２の止水溝１７ａのＵ字状の曲面の底部には、前述した水滴誘導溝ＧＣが形成されている。この第２の止水溝１７ａは、侵入した雨水の跳ね返りを低減して集水するために充分な大きさ・容量であり、止水率を高めることができる。第２の止水溝１７ａの大きさ、傾斜角度は、内部空間部ＩＳの最小間隙Ｓ１が、開口寸法Ｗより小さくならないように、後述する設計方法によって設計されている。
【００４２】
第２湾曲部１５の内側端部には、見付け方向右側に開口されたＵ字状の曲面を有する第３の止水溝１８ａ及び第２の誘導フィンＦ２を有する第３の止水部１８が連設されている。Ｕ字状の第３の止水溝１８ａは、第２の湾曲部１５の内側端部に連設される溝壁１８ｂと、右側に延出した突片１８ｄとで形成され、Ｕ字状の曲面の底部には水滴誘導溝ＧＣが形成されている。突片１８ｄの先端には、内部方向に折り返し片が設けられ、第２の誘導フィンＦ２として形成されている。第３の止水部１８は、内側ビス孔形成部１３に連設されている。
【００４３】
第１の湾曲部１４の中央部には、第４の止水部１９が形成されている。第４の止水部１９は、外側方向に延出して形成された突片１９ｂと、第１の湾曲部１４とで、第４の止水溝１９ａを形成している。
【００４４】
内見付け部１１の内部側には、第５の止水溝２０ａを有する第５の止水部２０が形成されている。第５の止水溝２０ａには、内見付け部１１の見付け方向から内部方向に折り返された二つの水返し片２０ｂ，２０ｃを設けることで、第５の止水溝２０ａを二つに分割して形成している。二つの水返し片２０ｂ，２０ｃのうち、内見付け部１１の左側端部に設けられた水返し片２０ｂは、第３の誘導フィンＦ３としての作用・機能を有する。
【００４５】
第３，第４，第５の止水部１８，１９，２０も、侵入した雨水の跳ね返りを低減して集水するために充分な大きさ・容量であり、止水率をさらに高めることができる。第３，第４，第５の止水部１８，１９，２０の大きさ、傾斜角度は、最小間隙Ｓ１が、開口寸法Ｗより小さくならないように、後述する設計方法によって設計されている。
【００４６】
以上説明したような縦羽根板５を用いた図１〜図４のガラリ１は、見込み寸法（幅）Ｄが７０ｍｍ、縦羽根板５のピッチＰが３０ｍｍで、開口寸法Ｗが１２ｍｍ、外側開口部ＯＲから内部空間部ＩＳを通って内側開口部ＩＲへ抜ける間の最小間隙Ｓ１が１２ｍｍであり、開口率Ｘａが４０％であり、止水率が９５％以上である。なお、上述の縦羽根板５は、見込み寸法Ｄが１００ｍｍ、ピッチＰが３０ｍｍ、開口率Ｘａが４０％の二層型ガラリとしても使用可能である。この場合の最小間隙Ｓ１も１２ｍｍである。
【００４７】
［縦羽根板の設計方法］
ここで、本発明のガラリ用縦羽根板の設計方法について図１５を参照して説明する。図１〜図４で説明したものと同様の構成、同様の機能を有するものには、同一の符号を付している。前述したように、図１５のガラリ１は、縦羽根板５のみの一層型ガラリであり、縦羽根板５の開口寸法Ｗは１２ｍｍ、ピッチＰは３０ｍｍ、目標とする開口率Ｘａは４０％であり、止水率は９５％以上を目標とする。また、ガラリ１の見込み寸法Ｄは７０ｍｍであり、枠体の厚みを考慮すると、縦羽根板５の寸法Ｌ１は５９ｍｍになる。縦羽根板５は、主として外見付け部１０、縦羽根板本体部５Ｔ、内見付け部１１で構成され、外見付け部１０、及び、内見付け部１１には、外・内側ビス孔形成部１２，１３が連設される。したがって、縦羽根板５の寸法５９ｍｍから、外・内側ビス孔形成部１２，１３の寸法Ｌ２，Ｌ３（図１５では、それぞれ、８ｍｍ）を差し引いた寸法４３ｍｍが、縦羽根板本体部５Ｔの寸法Ｌ４となり、この寸法Ｌ４以内で、縦羽根板本体部５Ｔの形状を設計する必要がある。上述したように、縦羽根板本体部５Ｔは、止水率を高めるためには、有効な止水機能を有する止水部の数を増やす必要があり、このため、縦羽根板本体部５Ｔは、例えば、上記の特許文献に記載された「くの字」や「円弧」のような見付け方向の一方側に凸面（または、凹面）を有する湾曲形状ではなく、見込み方向に、少なくとも見付け方向の一方側に凸面（または凹面）を有する湾曲形状と、見付け方向の他方側に凸面（または凹面）を有する湾曲形状とを有するように設計される。このとき、例えば単なるＳ字形状にするのではなく、一定の設計手順で設計される。
【００４８】
説明の便宜上、図１５には、隣接して並設された２つの縦羽根板５，５ａを示す。
図１５（ａ）に示すように、複数の縦羽根板を枠体に所定のピッチＰで見付け方向に並設した際に、隣接する縦羽根板５，５ａ同士の間隙には、外側開口面８側と内側開口面９側に、それぞれ、外側開口部ＯＲと内側開口部ＩＲが形成される。外側開口部ＯＲは、ガラリ１が取り付けられる建物の外部側の開口部であり、内側開口部ＩＲは、ガラリ１が取り付けられる建物の内部側、つまり、室内側の開口部である。また、隣接する縦羽根板５，５ａ間には内部空間部ＩＳが形成される。本発明では、外側開口部ＯＲから内部空間部ＩＳを通って内側開口部ＩＲへ抜ける間の最小間隙Ｓ１が開口寸法Ｗより短くならないように設計される。図１５（ａ）の状態では、開口寸法Ｗが最小間隙Ｓ１となる。
【００４９】
図１５において、縦羽根板本体部５Ｔの設計手順は、以下のようになる。
最初に、基準縦羽根板本体部５Ｒを設計する。
まず、図１５（ａ）に示すように、基準縦羽根板本体部５Ｒの見込み方向の外側・内側の両端部は、それぞれ、外側ビス孔形成部１２と基準縦羽根板本体部５Ｒとの第１の連結点ＣＮ１、及び、内側ビス孔形成部１３と基準縦羽根板本体部５Ｒとの第２の連結点ＣＮ２になる。そして、基準縦羽根板本体部５Ｒは、見付け方向の左側に膨出した円弧状の凸面を有する第１の基準湾曲部１４Ｒと、見付け方向の右側に膨出した円弧状の凸面を有する第２の基準湾曲部１５Ｒとが第１の屈曲点Ｔ１で連接された構成となるよう設計する。第１の屈曲点Ｔ１は、第１の基準湾曲部１４Ｒの内側端部になる。また、この時点では、第１の屈曲点Ｔ１は、第２の基準湾曲部１５Ｒの外側端部であるが、後述するように、第２の基準湾曲部１５Ｒの第１の屈曲点Ｔ１近傍部分は加工されて、この部分には、止水部が形成されることになる。
【００５０】
ここで、第１の基準湾曲部１４Ｒと第２の基準湾曲部１５Ｒとは、第１の屈曲点Ｔ１を基準にして点対称になるよう設計される。そして、第１の屈曲点Ｔ１が、変曲点ＩＰとなるように第１の基準湾曲部１４Ｒと第２の基準湾曲部１５Ｒとを設計する。つまり、第１の基準湾曲部１４Ｒは、第１の半径ｒ１を有し第１の屈曲点Ｔ１と第１の連結点ＣＮ１を通過する第１の円弧ＡＣ１であって、第２の基準湾曲部１５Ｒは、第２の半径ｒ２を有し第１の屈曲点Ｔ１と第２の連結点ＣＮ２とを通過する第２の円弧ＡＣ２であって、第１の屈曲点Ｔ１が、第１の円弧ＡＣ１と第２の円弧ＡＣ２で形成される曲線の変曲点ＩＰとなるよう設計される。すなわち、第１の円弧ＡＣ１は、見付け方向左側に膨出した凸面を有し、見付け方向右側に第１の円中心ＣＣ１を有しており、第２の円弧ＡＣ２は、見付け方向右側に膨出した凸面を有し、見付け方向左側に第２の円中心ＣＣ２を有しており、第１の屈曲点Ｔ１（変曲点ＩＰ）で、第１の円弧ＡＣ１、及び、第２の円弧ＡＣ２に接線を引いたときに、第１の円弧ＡＣ１は、見付け方向右側にあり、第２の円弧ＡＣ２は、見付け方向左側にあるように設計される。このようにして、基準縦羽根板本体部５Ｒが設計されるが、この基準縦羽根板本体部５Ｒが、ピッチＰで見付け方向に複数並設されると仮定すると、このままでは、換気孔を形成する湾曲部（１４Ｒ，１５Ｒ）だけであるので、止水率は低い。なお、第１の半径ｒ１と第２の半径ｒ２は、等しく設計されている。
【００５１】
止水率を高めるためには、基準縦羽根板本体部５Ｒに止水効果が有効な止水部をできる限り数多く設ける必要があるが、単に数を多くするだけでは、個々の止水部の大きさが小さくなるので、止水効果は上がらない。なお、「止水部」とは、少なくとも一つの「止水溝」を有する構成をいい、複数の「止水溝」、「誘導フィン」等を含むことがある。また、単に大きな止水部を形成すると、「最小間隙Ｓ１」が開口寸法Ｗより短くなり、開口率Ｘａが、当初の設計目標値よりも小さくなってしまう。したがって、最大の止水効果を上げるための最適な大きさ、及び、最適な数の止水部を形成する必要がある。そこで、止水部の設計には、以下のような最適設計工程を設ける。
【００５２】
図１５（ａ）に示すように、内部空間部ＩＳには、外側開口部ＯＲ及び内側開口部ＩＲよりも広い空間部が、特に第１の屈曲点Ｔ１（つまり、変曲点ＩＰ）の近傍に存在するので、第１の屈曲点Ｔ１の近傍に止水部が形成可能であることが予想される。また、第１の屈曲点Ｔ１の近傍に止水部を設けずに、第１の屈曲点Ｔ１に対向する隣接縦羽根板５ａに止水部を形成可能であることも予想される。そこで、図１５（ｂ）に示すように、まず、第１の屈曲点Ｔ１、つまり、第１の湾曲部１４Ｒの内側端部から左側に突片１６ｂを延出して形成し、突片１６ｂの先端に、一旦外側方向に延出した後内側方向に折り返して第１の誘導フィンＦ１を形成して、第１の止水部１６を構成する。第１の止水部１６は、Ｕ字状の曲面を有する止水溝１６ａで形成され、図示するように、水返し片１６ｃを設けて止水溝を二つに分割してもよい。
【００５３】
また、第１の屈曲点Ｔ１を基準にして、第２の基準湾曲部１５Ｒを見付け方向右側に所定距離平行移動すると同時に、第２の基準湾曲部１５Ｒの円弧形状を回転する（つまり、第２の円弧ＡＣ２の第２の円中心ＣＣ２を移動することになる。）等の加工修正を試みる。そうすると、第１の基準湾曲部１４Ｒの内側延長上（内側接線方向）に空間部が生成されるので、この空間部に、第２の止水部１７を形成する。第２の止水部１７は、止水効果を高めるため、Ｕ字状の曲面を有する止水溝１７ａで形成され、Ｕ字状の一方の溝壁１７ｂは、第１の基準湾曲部１４Ｒの曲面（第１の円弧ＡＣ１）を延長されて形成され、Ｕ字状の他方の溝壁１７ｃは、加工修正された第２の基準湾曲部１５Ｒに連接される。このとき、第１の止水部１６及び第２の止水部１７は、互いに逆方向の内部空間ＩＳ側に突出することになるので、両側の内部空間部ＩＳの「最小間隙Ｓ１」が開口寸法Ｗより短くなることを防ぐ必要がある。
【００５４】
このため、上述した、最適設計工程においては、開口寸法Ｗ１を直径φ１とする円Ｃ１が、外側開口部ＯＲから内部空間部ＩＳを通過して内側開口部ＩＲへ抜けるまで、全ての湾曲部及び全ての止水部が、円Ｃ１と離間するか、又は、円Ｃ１の円周ＣＬ１に接し、かつ、円Ｃ１と交差しないように検証しながら上記の最適設計を行う。
【００５５】
以下、第１の基準湾曲部１４Ｒを第１の湾曲部１４、加工修正された第２の基準湾曲部１５Ｒを第２の湾曲部１５と表記する。
このような、最適設計工程を繰り返すことで、第２の湾曲部１５の内側端部に第３の止水部１８を設けることができる。また、第１の湾曲部１４の中央部に、左側に突出した第４の止水部１９を設けることができる。第３の止水部１８を形成する第３の止水溝１８ａの突片１８ｄの先端部には、突片１８ｄの延長線上から折り返された水返し片を形成し、第２の誘導フィンＦ２とすることができる。また、内見付け部１１の内部側には、第５の止水溝２０ａを有する第５の止水部２０が設けられる。第５の止水溝２０ａは、略中央部に二つの水返し片２０ｂ，２０ｃを設けることで、二つの止水溝に分割される。
【００５６】
図１５（ｃ）は、縦羽根板５の最終的な検証の結果を示している。図１５（ｃ）に示すように、開口寸法Ｗを直径φ１とする円Ｃ１が、外側開口部ＯＲから内部空間部ＩＳを通過して内側開口部ＩＲへ抜けるまで、第１〜第５の止水部が、円Ｃ１と離間するか、又は、円Ｃ１の円周ＣＬ１に接し、かつ、円Ｃ１と交差しないことが検証されている。この結果、外側開口部ＯＲの開口寸法Ｗと内側開口部ＩＲの開口寸法Ｗとが等しく、かつ、外側開口部ＯＲから内部空間部ＩＳを通って内側開口部ＩＲへ抜ける間の最小間隙Ｓ１が開口寸法Ｗより短くならないように縦羽根板５を設計することができ、Ｘａ＝４０％の開口率で、かつ、９５％以上の高い止水率を実現することができる。第１〜第５の止水部１６〜２０は、止水率を高めるために充分な形状・大きさ・容量を備え、第１の誘導フィンＦ１は、雨風の流れを対向する第２の止水部１７に誘導し、第２の誘導フィンＦ２は、雨風の流れを対応する第５の止水部２０に誘導して止水率を高めることができる。
【００５７】
このようにして形成された止水部の数（５個）は、従来技術と比べて格段に多く、従来技術の設計方法で実現することは不可能である。なお、図１５は、縦羽根板５の断面図で説明しているので、便宜的に円Ｃ１を用いているが、円Ｃ１の代わりに球を用いてもよい。
図１５では、縦羽根板本体部５Ｔが、二つの湾曲部（第１の湾曲部１４、第２の湾曲部１５）を備えた例を示したが、例えば、ガラリの見込み方向の寸法が大きくなったときは、さらに第３の湾曲部を設けてもよい。この場合、第３の湾曲部は、上述した設計方法に基づいて最適設計される。
【００５８】
なお、上記の設計方法では、第１の基準湾曲部１４Ｒには、内側端部及び中央部に第１及び第４の止水部１６，１９を設け、曲面（第１の円弧ＡＣ１）の形状・寸法は加工していないが、ガラリへの要求仕様（換気量、見込み寸法、羽根板の層構成、開口率等）に応じて、第１基準湾曲部１４Ｒの曲面は適宜、加工されてよい。
【００５９】
以下、第一実施形態の縦羽根板の構成、作用・機能の説明に戻る。
図５は、図３の縦羽根板５の要部拡大斜視図であり、図６は、図３の縦羽根板５の要部拡大図であり、それぞれ、外部から侵入する雨風の流れと、水滴の止水の作用等を説明する図である。図５及び図６に示す縦羽根板５と縦羽根板５ａは、同一の形状であり、同一の作用・効果を奏するが、説明の便宜上、符号を変えている。
図５及び図６に示すように、縦羽根板５と、隣接する縦羽根板５ａとの間に形成された外側開口部ＯＲから侵入する雨風は、まず、縦羽根板５の第１の湾曲部１４の曲面に沿って誘導される。そして、雨水は、縦羽根板５の第４の止水部１９（第４の止水溝１９ａ）、及び、縦羽根板５の第１の止水部１６で受け止められる。第１の止水部１６は、第１の止水溝１６ａが二つの止水溝に分割されており、特に、一方側の止水溝は、Ｕ字状に形成されているので、雨水を止水溝で受ける衝撃が緩和され、雨水が飛散せずに止水される。また、二つの止水溝に分割したことで溝壁が増え、雨水の飛散をさらに低減することができる。第４の止水部１９、及び、第１の止水部１６で止水された雨水は、集水されてガラリ１の下端の排水口３ｂへ流下されて排水される。
【００６０】
次に、縦羽根板５の第１の湾曲部１４で誘導された雨風は、縦羽根板５の第１の誘導フィンＦ１で強制的に誘導されて、隣接する縦羽根板５ａの第２の止水部１７で受け止められ、縦羽根板５の第４及び第１の止水部１９，１６で止水しきれなかった雨水は、縦羽根板５ａの第２の止水部１７で止水される。第２の止水部１７は、Ｕ字状に形成された第２の止水溝１７ａを有するので、雨水を受ける衝撃が緩和され、雨水が飛散せずに止水される。第２の止水部１７で止水された雨水は、集水されてガラリ１の下端の排水口３ｂへ流下された排水される。
【００６１】
縦羽根板５ａの第２の止水部１７で止水しきれなかった雨水の一部は、縦羽根板５ａの第２の湾曲部１５の曲面に沿って流れ、縦羽根板５ａの第３の止水部１８で受け止められ止水される。第３の止水部１８は、Ｕ字状に形成された第３の止水溝１８ａを有するので、雨水を受ける衝撃が緩和され、雨水が飛散せずに止水される。第３の止水部１８で止水された雨水は、集水されてガラリ１の下端の排水口３ｂへ流下されて排水される。
【００６２】
縦羽根板５の第１の誘導フィンＦ１で誘導された風は、縦羽根板５ａの第２の湾曲部１５の曲面に沿って誘導された後、縦羽根板５ａの第３の止水部１８に設けられた第２の誘導フィンＦ２により、強制的に縦羽根板５の第５の止水部２０に誘導する。第５の止水部２０には、二つの止水溝が設けられており、第１〜第４の止水部で止水しきれなかった雨水は、この二つの止水溝で止水、集水されて、ガラリ１の下端の排水口３ｂへ流下されて排水される。
【００６３】
以上のように、本発明の縦羽根板には、止水溝又は誘導フィンのいずれかが少なくとも一つ以上形成された第１〜第５の止水部１６〜２０を備えており、従来のガラリに比べて止水率を非常に高くすることができる。
また、縦羽根板の形状が曲面の組み合わせのため、空気がスムーズに流れ、雨水が曲面に遠心力で押しつけられ、止水率が向上する。したがって、本発明のガラリ１が取付けられた建物の室内には、外部から侵入した雨風のうち雨（水滴）が確実に止水され、風のみが侵入し、良好な換気を行うことができる。
【００６４】
次に、さらに、止水率を向上させるために形成された水滴誘導溝ＧＣについて説明する。第１〜第３、第５の止水部１６〜１８，２０には、Ｕ字状の各止水溝１６ａ，１７ａ，１８ａ，２０ａの底部に曲面状に水滴誘導溝ＧＣが形成されている。図７は、第３の止水部１８（第３の止水溝１８ａ）に設けられた水滴誘導溝ＧＣを説明する拡大図である。図７（ａ）は、水滴誘導溝ＧＣの横断面を示しており、図７（ｂ）は、図７（ａ）のＡ−Ａ線断面図である。図示するように、Ｕ字状の第３の止水溝１８ａに流入した水滴状の雨水ＤＷは溝壁１８ｂ，１８ｃに沿って集水されて重量が増加し、円弧状の曲面で形成された水滴誘導溝ＧＣによって下方の排水口３ｂへの流下が加速される。これにより、溝壁１８ｂ，１８ｃに雨水が溜まることが低減され、雨水の飛散が低減されるので、止水率が向上する。
図７では、第３の止水部１８を例にとって示したが、第１、第２の止水部１６，１７でも同様の作用を奏する。なお、第一の実施形態、及び、後述する第二、第三の実施形態では、複数の止水溝（Ｕ字状の曲面を有する止水溝）に水滴誘導溝を形成している。当然に、より多くの水滴誘導溝を形成した方が止水率は高くなるが、要求される止水率に応じて、どの止水溝に水滴誘導溝を設けるかは、適宜調整することができる。例えば、ガラリに備えられているいずれか一つの止水溝に水滴誘導溝を形成するようにしてもよい。
【００６５】
以上のように、最適設計、構成された本発明の第一実施形態の縦羽根板５の開口率の検証結果について、図１５（ｂ）及び図１５（ｃ）を用いて説明する。図１５（ｂ）及び図１５（ｃ）は、図３の縦羽根板５の要部拡大図である。縦羽根板５の開口寸法Ｗは１２ｍｍであり、ピッチＰは３０ｍｍである。この時点では、目標の開口率Ｘａは、４０％（Ｘａ＝１２／３０×１００）であり、この開口率を最終的に達成するためには、外側開口部ＯＲの開口寸法Ｗを直径φ１とする円Ｃ１が、外側開口部ＯＲから内部空間部ＩＳを通過して内側開口部ＩＲへ抜けるまで、第１〜第５の止水部１６〜２０が、円Ｃ１と離間するか、又は、円周ＣＬ１に接し、かつ、円Ｃ１と交差しないことが検証されなければならない。図１５（ｃ）では、開口寸法Ｗが１２ｍｍであり、この開口寸法Ｗと同じ１２ｍｍの直径φ１の円Ｃ１が、外側開口部ＯＲから内部空間部ＩＳを通過して内側開口部ＩＲへ抜けるまで、第１〜第５の止水部１６〜２０のいずれもが、円周ＣＬ１に接しており、かつ、円Ｃ１と交差しないことが検証されており、開口率４０％を達成していることがわかる。
【００６６】
（第二実施形態）
次に、本発明の第二実施形態のガラリ用縦羽根板について、図８〜図１１を参照しながら説明する。
第二実施形態のガラリ１００は、羽根板として縦羽根板のみを備えた一層型ガラリであり、見込み寸法（幅）Ｄが１００ｍｍ、縦羽根板１０５のピッチＰが３０ｍｍで、開口寸法Ｗが１５ｍｍ、外側開口部ＯＲから内部空間部ＩＳを通って内側開口部ＩＲへ抜ける間の最小間隙Ｓ１が１５ｍｍであり、開口率Ｘａが５０％である。第二実施形態のガラリ１００設計方法は、第一実施形態のガラリ１と同じである。
【００６７】
図８は、本発明の第二実施形態のガラリ１００の横断面図であり、図９は、図８の要部拡大図である。ガラリ１００の縦羽根板１０５は、ガラリ１の縦羽根板５と同様に、第１の湾曲部１１４、第２の湾曲部１１５、第１〜第５の止水部１１６〜１２０を備え、さらに、第２の湾曲部１１４と同一方向に凸面を有する第３の湾曲部１２２、この第３の湾曲部１２２の内側端部に形成された第６の止水部１２３、第６の止水部１２３と内側ビス孔形成部１３とを連結する連結片１２４を備えている。ガラリ１００では、ガラリ１に対し、内見付け部の内側ビス孔形成部１３と第５の止水部１２０との位置関係が見付け方向で逆の位置になっている。
【００６８】
以下、ガラリ１００のガラリ１との構成上の主な相異点について説明する。
第１の湾曲部１１４は、完全な円弧形状ではなく、第４の止水部１１９の形成位置で僅かに窪みを有するように加工されている。第２の湾曲部１１５は、第２止水部１１７のＵ字形状の第２止水溝１１７ａの底部中央部と連結されている。第３の止水部１１８のＵ字形状の第３の止水溝１１８ａは、水返し片１１８ｅで二つの止水溝に分割されており、第２の誘導フィンＦ１０２は、突片１１８ｄの先端から一旦外側に延出し、その後内部方向に折り返されている。第６の止水部１２３は、第３の止水部１１８の底部中央部と連結され、Ｕ字形状の第６の止水溝１２３ａを備えている。第６の止水溝１２３ａの先端には、第４の誘導フィンＦ４が設けられている。第６の止水溝は、溝壁１２３ｂ，１２３ｃを有し、底部には、水滴誘導溝ＧＣが設けられている。以上述べたガラリ１００のガラリ１との主な相異点は、ガラリ１と同様の設計手順に基づいて、開口率５０％を維持するための最適設計の結果である。
【００６９】
図１０は、図８の要部拡大斜視図であり、外部から侵入する雨風の流れと、水滴の止水の作用等を説明する図である。第一の実施形態と同様に、縦羽根板１０５と隣接する縦羽根板１０５ａを用いて説明する。
第１及び第２の湾曲部１１４，１１５、第１〜第４の止水部１１６〜１１９の作用は、ガラリ１と同様である。ただし、第３の止水部１１８は、第３の止水溝１１８ａが二つに分割されているので、止水効果はより向上している。
縦羽根板１０５ａの第３の止水部１１８で止水しきれなかった雨水は、縦羽根板１０５ａ第２の誘導フィンＦ１０２、及び、縦羽根板１０５の第２の湾曲部１１５の曲面で強制的に誘導され、縦羽根板１０５の第６の止水部１２３で受け止められ止水される。第６の止水部１２３は、Ｕ字状に形成された第６の止水溝１２３ａを有するので、雨水を受ける衝撃が緩和され、雨水が飛散せずに止水される。第６の止水部１２３で止水された雨水は、集水されてガラリ１の下端の排水口３ｂへ流下されて排水される。
縦羽根板１０５の第６の止水部１２３で止水しきれなかった雨水は、縦羽根板１０５の第４の誘導フィンＦ４、及び、縦羽根板１０５ａの第３の湾曲部１２２の曲面で強制的に誘導され、縦羽根板１０５ａの第５の止水部１２０で受け止められ止水、集水されて下方の排水口３ｂへ流下される。第５の止水部１２０は、侵入した雨水の跳ね返りを低減して集水するために充分な大きさ・容量であり、止水率をさらに高めることができる。なお、その他の構成は、ガラリ１の説明と重複するか、又は、ガラリ１の説明から容易に理解できるので省略する。
【００７０】
以上のように、最適設計、構成された本発明の第二実施形態の縦羽根板１０５の開口率の検証結果について説明する。図１１は、図８の縦羽根板１０５の要部拡大図である。縦羽根板１０５の開口寸法Ｗは１５ｍｍであり、ピッチＰは３０ｍｍである。この時点では、目標の開口率Ｘａは、５０％（Ｘａ＝１５／３０×１００）であり、この開口率を最終的に達成するためには、外側開口部ＯＲの開口寸法Ｗを直径φ２とする円Ｃ２が、外側開口部ＯＲから内部空間部ＩＳを通過して内側開口部ＩＲへ抜けるまで、第１〜第６の止水部が、円Ｃ２と離間するか、又は、円周ＣＬ２に接し、かつ、円Ｃ２と交差しないことが検証されなければならない。図１１では、開口寸法Ｗが１５ｍｍであり、このＷと同じ１５ｍｍの直径の円Ｃ２が、外側開口部ＯＲから内部空間部ＩＳを通過して内側開口部ＩＲへ抜けるまで、第１〜第６の止水部１１６〜１２０，１２３のいずれもが、円周ＣＬ２に接しており、かつ、円Ｃ２と交差しないことが検証されており、開口率５０％を達成していることがわかる。止水率は、９５％以上を実現することができる。
【００７１】
（第三実施形態）
次に、本発明の第三実施形態のガラリ用縦羽根板について、図１２〜図１４を参照しながら説明する。図１２は、ガラリ２００の縦断面図であり、図１３は、ガラリ２００の横断面図であり、図１４は、図１３の要部拡大図である。第三実施形態のガラリ２００は、羽根板として横羽根板２３０及び縦羽根板２０５を備えた二層型ガラリであり、見込み寸法（幅）Ｄが７０ｍｍ、縦羽根板２０５のピッチＰが２７．５ｍｍで、開口寸法Ｗが１４ｍｍ、外側開口部ＯＲから内部空間部ＩＳを通って内側開口部ＩＲへ抜ける間の最小間隙Ｓ１が１４ｍｍであり、開口率Ｘａが５０％である。第三実施形態のガラリ２００設計方法は、第一実施形態のガラリ１と同じである。なお、止水率は、横羽根板２３０と縦羽根板２０５を組み合わせたことで、９５％以上を実現することができる。
【００７２】
以下、ガラリ２００のガラリ１、ガラリ１００との構成上の主な相異点について説明する。ガラリ２００は、二層型のガラリであり、横羽根板２３０が建物の外側を臨むように、また、縦羽根板２０５が建物内部を臨むように構成されている。横羽根板２３０は、図１２の縦断面図に示すように、中央部に横ビス孔形成部２３１を有し、横ビス孔形成部２３１の頂部に突片２３２が形成され、横ビス孔形成部２３１から外側下方に第１の傾斜片２３３が形成され、傾斜片の先端には第１の垂下片２３４が連設されている。また、横ビス孔形成部２３１から内側下方に第２の傾斜片２３５が形成され、第２の傾斜片２３５の先端には第２の垂下片２３６が連設されている。このように形成された横羽根板２３０が、ガラリ２００の枠体上下方向に、等間隔のピッチで複数配設されている。
【００７３】
ガラリ２００の縦羽根板２０５は、ガラリ１の縦羽根板５に対して、第３の止水部１８が設けられていない点が大きく異なっている。つまり、第２の湾曲部２１５は、直接、内ビス形成部１３に連設されている。ただし、止水率は９５％以上を実現することができるので、第３の止水部を設けていなくても、止水の効果は第一実施形態のガラリ１，第二実施形態のガラリ１００と同程度である。また、第１の止水部２１６の第１の止水溝２１６ａは、分割されず、一つである。第５の止水部２２０は、第二実施形態のガラリ１００の第５の止水部１２０と同様である。
【００７４】
第２の湾曲部２１５は、ガラリ１と異なるが、ガラリ２００と同様に、第２の止水部２１７の底部中央部に連結されている。
【００７５】
なお、その他の構成は、ガラリ１又はガラリ１００の説明と重複するか、ガラリ１又はガラリ１００の説明から容易に理解できるので省略する。また、第三の実施形態のガラリ２００の開口率の検証結果については、図１４に簡略的に示すように、ガラリ１，１００と同様に、外側開口部ＯＲの開口寸法Ｗ（１４ｍｍ）を直径φ３とする円Ｃ３が、外側開口部ＯＲから内部空間部ＩＳを通過して内側開口部ＩＲへ抜けるまで、第１，第２，第４，第５の止水部２１６，２１７，２１９，２２０が、円Ｃ３と離間するか、又は、円周ＣＬ３に接し、かつ、円Ｃ３と交差しないことが確認されている。
【００７６】
以上説明したように、本発明のガラリ、及び、ガラリ用縦羽根板によれば、開口率と止水率を同時に向上させることができる。また、二層型ガラリで、見込み寸法Ｄが７０ｍｍであり、従来の技術で実現できなかった小型軽量のガラリを実現することができる。
【符号の説明】
【００７７】
１，１００，２００      ガラリ
２      上枠
２ａ    嵌入溝
３      下枠
３ａ    突片
３ｂ    排水口
４      縦枠
５，５ａ，１０５，１０５ａ，２０５  縦羽根板
５Ｒ    基準縦羽根板本体部
５Ｔ    縦羽根板本体部
６      上部取付け部
６ａ    嵌入片
７      下部取付け部
７ａ    突片
８      外側開口面
９      内側開口面
１０    外見付け部
１１    内見付け部
１２    外側ビス孔形成部
１３    内側ビス孔形成部
１４，１１４，２１４    第１の湾曲部
１４Ｒ  第１の基準湾曲部
１５，１１５，２１５    第２の湾曲部
１５Ｒ  第２の基準湾曲部
１６，１１６，２１６    第１の止水部
１６ａ，１１６ａ，２１６ａ  第１の止水溝
１６ｂ  突片
１６ｃ  水返し片
１７，１１７      第２の止水部
１７ａ，１１７ａ  第２の止水溝
１７ｂ，１７ｃ    溝壁
１７ｄ  水返し片
１８，１１８      第３の止水部
１８ａ，１１８ａ  第３の止水溝
１８ｂ，１８ｃ    溝壁
１８ｄ，１１８ｄ  突片
１１８ｅ  水返し片
１９，１１９      第４の止水部
１９ａ  第４の止水溝
１９ｂ  突片
２０，１２０，２２０  第５の止水部
２０ａ  第５の止水溝
２０ｂ，２０ｃ    水返し片
５０    ビス
５１    ビス孔
１２２  第３の湾曲部
１２３  第６の止水部
１２３ａ  第６の止水溝
１２３ｂ、１２３ｃ  溝壁
１２４  連結片
２３０  横羽根板
２３１  横ビス孔形成部
２３２  突片
２３３  第１の傾斜片
２３４  第1の垂下片
２３５  第２の傾斜片
２３６  第２の垂下片
ＡＣ１  第１の円弧
ＡＣ２  第２の円弧
Ｃ１，Ｃ２，Ｃ３    円
ＣＬ１、ＣＬ２，ＣＬ３  円周
ＣＣ１  第１の円中心
ＣＣ２  第２の円中心
Ｄ      見込み寸法
ＤＷ    雨水（水滴）
Ｆ１    第１の誘導フィン
Ｆ２，Ｆ１０２    第２の誘導フィン
Ｆ３    第３の誘導フィン
Ｆ４    第４の誘導フィン
ＧＣ    水滴誘導溝
ＩＰ    変曲点
ＩＲ    内側開口部
ＩＳ    内部空間部
Ｌ１    縦羽根板の寸法
Ｌ２    外側ビス孔形成部の寸法
Ｌ３    内側ビス孔形成部の寸法
Ｌ４    縦羽根板本体部の寸法
ＯＲ    外側開口部
Ｐ      ピッチ
ｒ１    第１の半径
ｒ２    第２の半径
Ｓ１    最小間隙
Ｔ１    第１の屈曲点
Ｗ      開口寸法
ＷＩ    内側開口部ＩＲの開口寸法
ＷＲ    外側開口部ＯＲの開口寸法
【要約】
【課題】、開口率と止水率の両方を向上させることができるガラリ用羽根板、及び、この羽根板を用いたガラリを提供することを目的とする。
【解決手段】外見付け部と内見付け部とを有するガラリ用の縦羽根板であって、前記縦羽根板は、少なくとも第１の湾曲部と第２の湾曲部を有し、前記第１の湾曲部は、見付け方向の一方側に凸面を有し、前記第２の湾曲部は、前記見付け方向の他方側に凸面を有し、前記第１の湾曲部の一方の端部には、前記前記見付け方向の一方側に突出して、止水溝と誘導フィンが形成された第１の止水部が設けられ、前記第１の湾曲部の一方の端部の内側延長部には、止水溝が形成された第２の止水部が設けられ、前記第１の湾曲部と、前記第２の止水部と、前記第２の湾曲部は、見込み方向に沿って連設されていることを特徴とする。
【選択図】  図３【図１】
0005968569.tif 000002
【図２】
0005968569.tif 000003
【図３】
0005968569.tif 000004
【図４】
0005968569.tif 000005
【図５】
0005968569.tif 000006
【図６】
0005968569.tif 000007
【図７】
0005968569.tif 000008
【図８】
0005968569.tif 000009
【図９】
0005968569.tif 000010
【図１０】
0005968569.tif 000011
【図１１】
0005968569.tif 000012
【図１２】
0005968569.tif 000013
【図１３】
0005968569.tif 000014
【図１４】
0005968569.tif 000015
【図１５】
0005968569.tif 000016